(57)【特許請求の範囲】
【請求項１】
透光性を有する表示基板及び前記表示基板と間隙を持って対向配置された背面基板を有する一対の基板と、前記表示基板側に設けられる第１電極と、前記背面基板側に設けられる複数の第２電極と、前記一対の基板間に封入され、前記一対の基板間に印加された電圧によって前記一対の基板のうちいずれか一方の基板に付着した状態から該基板を離脱する粒子を含み、画像情報に基づいて画像を表示する画像表示媒体の前記一対の基板間に前記電圧を印加する電圧印加手段と、
前記画像情報に基づいて前記粒子を駆動する駆動電圧を前記一対の基板間に印加する際に、前記駆動電圧の印加期間の中で、同じ画素情報を表示する隣接する前記第２電極間で電位差が発生する期間を設けるように、前記電圧印加手段を制御する制御手段と、
を備えた画像表示媒体の駆動装置であって、
前記印加期間には、前記隣接する２つの前記第２電極の各々に同時に前記駆動電圧が印加される期間があり、
前記駆動電圧が前記隣接する２つの前記第２電極の一方に印加される第１の期間の長さは、前記駆動電圧が前記隣接する２つの前記第２電極の他方に印加される第２の期間の長さと同じであり、
前記第１の期間の第１の開始タイミングは、前記第２の期間の第２の開始タイミングよりも時間的に前である、
画像表示媒体の駆動装置。
【請求項２】
前記制御手段は、隣接する前記第２電極の何れか一方の駆動電圧の印加終了時に、隣接する前記第２電極間で電位差が発生するように、前記電圧印加手段を制御する請求項１に記載の画像表示媒体の駆動装置。
【請求項３】
前記制御手段は、前記駆動電圧として、前記一対の基板のうち一方に付着した粒子を画像情報に応じた量の粒子を離脱させる大きさの第１電圧を印加した後に、前記第１電圧の絶対値より絶対値が小さい第２電圧を印加するように、前記電圧印加手段を制御する請求項１に記載の画像表示媒体の駆動装置。
【請求項４】
前記制御手段は、隣接する前記第２電極間で電位差が発生する期間を前記第２電圧の印加期間に設けるように、前記電圧印加手段を制御する請求項３に記載の画像表示媒体の駆動装置。
【請求項５】
透光性を有する表示基板及び前記表示基板と間隙を持って対向配置された背面基板を有する一対の基板と、前記表示基板側に設けられる第１電極と、前記背面基板側に設けられる複数の第２電極と、前記一対の基板間に封入され、前記一対の基板間に印加された電圧によって前記一対の基板のうちいずれか一方の基板に付着した状態から該基板を離脱する粒子を含み、画像情報に基づいて画像を表示する画像表示媒体と、
請求項１〜４の何れか１項に記載の画像表示媒体の駆動装置と、
を備えた画像表示装置。
【請求項６】
コンピュータを、請求項１〜４の何れか１項に記載の画像表示媒体の駆動装置の前記制御手段として機能させるための駆動プログラム。
【発明の詳細な説明】
【技術分野】
【０００１】
本発明は、画像表示媒体の駆動装置、画像表示装置、駆動プログラムに関する。
【背景技術】
【０００２】
従来、メモリ性を有し繰り返し書換えが可能な画像表示媒体として、着色粒子を用いた画像表示媒体が知られている。このような画像表示媒体は、例えば一対の基板と、印加された電界により基板間を移動可能に基板間に封入されると共に、色及び帯電特性が異なる複数種類の粒子群と、を含んで構成される。
【０００３】
このような画像表示媒体では、画像に応じた電圧を一対の基板間に印加することにより粒子を移動させ、異なる色の粒子のコントラストとして画像を表示させる。
【０００４】
例えば、このような画像表示媒体の駆動方法としては、例えば、特許文献１〜３に記載の技術が提案されている。
【０００５】
特許文献１に記載の技術では、表示内容の変更を行う際にそれまで表示していた内容を表示領域全体に渡って消去し、その後新たな表示内容の書き換えを行うことが開示されている。
【０００６】
また、特許文献２に記載の技術では、１つ又は複数の画素からなり互いに異なる階調を表示させる第１の領域と第２の領域とを交互に配置し、第１の領域の画素に第１の階調を表示し、第２の領域の画素に第２の階調を表示する第１の消去ステップと、第１の領域の画素に第２の階調を表示し、第２の領域の画素に第１の階調を表示する第２の消去ステップと、によって画像を消去することが開示されている。
【０００７】
さらに、特許文献３に記載の技術では、表示駆動電圧を印加する前に、予備駆動として、表示基板に設けられた列電極、または背面基板に設けられた行電極の少なくとも一方に、各電極の配列方向に帯電粒子群が移動可能な電界が発生するよう電圧を印加した後に、表示駆動電圧を印加することが開示されている。
【先行技術文献】
【特許文献】
【０００８】
【特許文献１】特開２００２−１４９１１５号公報
【特許文献２】特開２００９−０５８６４５号公報
【特許文献３】特開２００７−０３３７１０号公報
【発明の概要】
【発明が解決しようとする課題】
【０００９】
本発明は、隣接する電極間に粒子が付着するのを抑制することを目的とする。
【課題を解決するための手段】
【００１０】
請求項１に記載の画像表示媒体の駆動装置は、透光性を有する表示基板及び前記表示基板と間隙を持って対向配置された背面基板を有する一対の基板と、前記表示基板側に設けられる第１電極と、前記背面基板側に設けられる複数の第２電極と、前記一対の基板間に封入され、前記一対の基板間に印加された電圧によって前記一対の基板のうちいずれか一方の基板に付着した状態から該基板を離脱する粒子を含み、画像情報に基づいて画像を表示する画像表示媒体の前記一対の基板間に前記電圧を印加する電圧印加手段と、前記画像情報に基づいて前記粒子を駆動する駆動電圧を前記一対の基板間に印加する際に、前記駆動電圧の印加期間の中で、同じ画素情報を表示する隣接する前記第２電極間で電位差が発生する期間を設けるように、前記電圧印加手段を制御する制御手段と、を備えている。
【００１１】
請求項２に記載の発明は、請求項１に記載の発明において、前記制御手段は、隣接する前記第２電極の何れか一方の駆動電圧の印加終了時に、隣接する前記第２電極間で電位差が発生するように、前記電圧印加手段を制御する。
【００１２】
請求項３に記載の発明は、請求項１に記載の発明において、前記制御手段は、前記駆動電圧として、前記一対の基板のうち一方に付着した粒子を画像情報に応じた量の粒子を離脱させる大きさの第１電圧を印加した後に、前記第１電圧の絶対値より絶対値が小さい第２電圧を印加するように、前記電圧印加手段を制御する。
【００１３】
請求項４に記載の発明は、請求項３に記載の発明において、前記制御手段は、隣接する前記第２電極間で電位差が発生する期間を前記第２電圧の印加期間に設けるように、前記電圧印加手段を制御する。
【００１４】
請求項５に記載の画像表示装置は、透光性を有する表示基板及び前記表示基板と間隙を持って対向配置された背面基板を有する一対の基板と、前記表示基板側に設けられる第１電極と、前記背面基板側に設けられる複数の第２電極と、前記一対の基板間に封入され、前記一対の基板間に印加された電圧によって前記一つの基板のうちいずれか一方の基板に付着した状態から該基板を離脱する粒子を含み、画像情報に基づいて画像を表示する画像表示媒体と、請求項１〜４の何れか１項に記載の画像表示媒体の駆動装置と、を備えている。
【００１５】
請求項６に記載の駆動プログラムは、コンピュータを、請求項１〜４の何れか１項に記載の画像表示媒体の駆動装置の前記制御手段として機能させる。
【発明の効果】
【００１６】
請求項１に記載の発明によれば、隣接する電極間で電位差が発生する期間がない場合に比べて、隣接する電極間に粒子が付着するのを抑制することが可能な画像表示媒体の駆動装置を提供することができる、という効果がある。
【００１７】
請求項２に記載の発明によれば、一対の基板間への駆動電圧の印加終了時以外に隣接する電極間で電位差が発生する期間を設ける場合に比べて、隣接する電極間に粒子が付着するのを抑制することが可能な画像表示媒体の駆動装置を提供することができる、という効果がある。
【００１８】
請求項３に記載の発明によれば、本構成を採用しない場合に比べて、表示濃度への影響を小さくすることが可能な画像表示媒体の駆動装置を提供することができる、という効果がある。
【００１９】
請求項４に記載の発明によれば、第２電圧の印加期間以外に隣接する電極間で電位差が発生する期間を設ける場合に比べて、表示濃度への影響を小さくすることが可能な画像表示媒体の駆動装置を提供することができる、という効果がある。
【００２０】
請求項５に記載の発明によれば、隣接する電極間で電位差が発生する期間がない場合に比べて、隣接する電極間に粒子が付着するのを抑制することが可能な画像表示装置を提供することができる、という効果がある。
【００２１】
請求項６に記載の発明によれば、隣接する電極間で電位差が発生する期間がない場合に比べて、隣接する電極間に粒子が付着するのを抑制することが可能な駆動プログラムを提供することができる、という効果がある。
【図面の簡単な説明】
【００２２】
【図１】（Ａ）は本実施形態に係わる画像表示装置の概略図であり、（Ｂ）は本発実施形態に係わる画像表示装置の制御部の構成を示すブロック図である。
【図２】本実施形態に係わる画像表示媒体に封入される泳動粒子群の帯電特性の一例を示す図である。
【図３】（Ａ）は隣接電極間に電位差を発生させた駆動電圧の第１例を示す図であり、（Ｂ）は隣接電極間に電位差を発生させた駆動電圧の第２例を示す図である。
【図４】（Ａ）は隣接電極間に電位差を発生させた駆動電圧の第３例を示す図であり、（Ｂ）は隣接電極間に電位差を発生させた駆動電圧の第４例を示す図である。
【図５】本実施形態に係わる画像表示装置の作用を説明するための図である。
【図６】従来の泳動粒子の駆動方法の一例を説明するための図である。
【発明を実施するための形態】
【００２３】
以下、本実施形態について図面を参照しつつ説明する。作用・機能が同じ働きを担う部材には、全図面を通して同じ符合を付与し、重複する説明を省略する場合がある。また、説明を簡易化するために、適宜１つのセルに注目した図を用いて本実施形態を説明する。
【００２４】
図１（Ａ）は、本実施形態に係わる画像表示装置を概略的に示している。この画像表示装置１００は、画像表示媒体１０と、画像表示媒体１０を駆動する駆動装置２０と、を備えている。駆動装置２０は、画像表示媒体１０の表示側電極３、背面側電極４間に電圧を印加する電圧印加部３０と、画像表示媒体１０に表示させる画像の画像情報に応じて電圧印加部３０を制御する制御部４０と、を含んで構成されている。
【００２５】
画像表示媒体１０は、画像表示面とされる、透光性を有する表示基板１と、非表示面とされる背面基板２と、が間隙を持って対向して配置される一対の基板を有する。
【００２６】
これらの基板１、２間を予め定められた間隔に保持すると共に、該基板間を複数のセルに区画する間隙部材５が設けられている。
【００２７】
上記セルとは、背面側電極４が設けられた背面基板２と、表示側電極３が設けられた表示基板１と、間隙部材５と、によって囲まれた領域を示している。なお、１つのセルは複数の画素を含む。
【００２８】
セル中には、例えば絶縁性液体で構成された分散媒６と、分散媒６中に分散された泳動粒子群１１が封入されている。泳動粒子群１１は、予め定めた色に着色されると共に、帯電特性を有しており、一対の電極３、４間に印加する電圧を制御することにより、着色粒子群１１が基板間を泳動する。
【００２９】
泳動粒子群１１は、本実施形態では、１種類の予め定めた色に着色された泳動粒子群を封入した例を説明するが、複数種類の粒子群を基板間に封入するようにしてもよい。複数種類の着色粒子群を基板間に封入する場合には、それぞれ色及び帯電特性が異なる泳動粒子群を封入するようにしてもよいし、帯電特性を有さず浮遊する浮遊粒子群（例えば、泳動粒子群１１より帯電量が少なく泳動粒子群１１が電極側まで移動する電圧が電極間に印加されても何れの電極側まで移動しない粒子群）を含むようにしてもよい。浮遊粒子群としては白色に着色された白色粒子群を適用して白色表示するようにしてもよい。或いは、分散媒に着色剤を混合することで、泳動粒子の色とは異なる色（例えば、白色）を表示させる構成としてもよい。
【００３０】
駆動装置２０（電圧印加部３０及び制御部４０）は、画像表示媒体１０の表示側電極３、背面側電極４間に印加する電圧を表示させる色に応じて制御することにより、泳動粒子群１１を泳動させ、それぞれの帯電極性に応じて表示基板１、背面基板２の何れか一方に引き付ける。
【００３１】
電圧印加部３０は、表示側電極３及び背面側電極４にそれぞれ電気的に接続されている。また、電圧印加部３０は、制御部４０に信号授受されるように接続されている。
【００３２】
制御部４０は、図１（Ｂ）に示すように、例えばコンピュータ４０として構成される。コンピュータ４０は、一例として、ＣＰＵ（Ｃｅｎｔｒａｌ  Ｐｒｏｃｅｓｓｉｎｇ  Ｕｎｉｔ）４０Ａ、ＲＯＭ（Ｒｅａｄ  Ｏｎｌｙ  Ｍｅｍｏｒｙ）４０Ｂ、ＲＡＭ（Ｒａｎｄｏｍ  Ａｃｃｅｓｓ  Ｍｅｍｏｒｙ）４０Ｃ、不揮発性メモリ４０Ｄ、及び入出力インターフェース（Ｉ／Ｏ）４０Ｅがバス４０Ｆを介して各々接続された構成であり、Ｉ／Ｏ４０Ｅには電圧印加部３０が接続されている。この場合、各色の表示に必要な電圧の印加を電圧印加部３０に指示する処理をコンピュータ４０に実行させるプログラムを、例えば不揮発性メモリ４０Ｄに書き込んでおき、これをＣＰＵ４０Ａが読み込んで実行させる。なお、プログラムは、ＣＤ−ＲＯＭ等の記録媒体により提供するようにしてもよい。
【００３３】
電圧印加部３０は、表示側電極３及び背面側電極４に電圧を印加するための電圧印加装置であり、制御部４０の制御に応じた電圧を表示側電極３及び背面側電極４に印加する。電圧印加部３０は、アクティブマトリクス方式を適用してもよいし、パッシブマトリクス方式を適用するようにしてもよい。或いは、セグメント方式を適用するようにしてもよい。
【００３４】
図２は、本実施形態に係わる画像表示媒体１０に封入される泳動粒子群の帯電特性の一例を示す図である。図２では、表示側電極３をグランド（０Ｖ）とし、背面側電極４に駆動電圧を印加する例を示す。
【００３５】
本実施形態では、泳動粒子群１１は、正の帯電特性を有している。泳動粒子１１は、帯電量と粒子径（体積平均粒子径）などを設定することにより、基板への付着力を設定する。本実施形態では、電圧｜Ｖ０｜以上の電圧を印加すると泳動粒子群１１の基板間の移動が開始され、電圧｜Ｖ１｜（Ｖ０＜Ｖ１）で何れかの基板へ移動した泳動粒子群が付着するように設定されている。
【００３６】
ところで、本実施形態に係わる画像表示媒体１０に封入された泳動粒子群１１を駆動する場合には、従来では、図２に示す泳動粒子群の特性及び画像情報に基づいて表示基板１と背面基板２の基板間に電圧を印加することにより、泳動粒子群１１の移動を制御して画像を表示するようにしていた。
【００３７】
しかしながら、泳動粒子１１の駆動後に、泳動粒子群１１が隣接する電極間に付着してしまい、粒子の制御性が悪化してしまう。特に、隣接する画素が同じ表示濃度となる場合に、隣接する電極間に粒子が付着してしまい、粒子の制御性が悪化してしまう。例えば、図６（Ａ）に示すように背面側電極４側に泳動粒子群１１が付着した状態から泳動粒子群１１を表示側電極３側へ移動する場合には、背面側電極４間に付着した粒子の基板からの剥離が、図６（Ｂ）に示すように、遅れてしまい、泳動粒子群１１の制御性が悪化する。すなわち、泳動粒子の基板からの剥離の遅れによって電圧印加期間に泳動粒子が移動しきれずに浮遊した状態となり、コントラストや解像度が低下する。
【００３８】
これを解決するために、上述の特許文献３に記載の技術では、予備駆動を行うようにしている。すなわち、表示用の電圧印加の前に予備駆動を行うことによって、泳動粒子群１１の付着を一旦剥離（図６（Ｃ））してから泳動粒子群１１を駆動することにより（図６（Ｄ））、上述したような泳動粒子の制御性の悪化を抑制するようにしている。当該技術により制御性の悪化を抑制することが可能となるが、予備駆動を行うため、表示用の駆動電圧以外の電圧を印加する必要がある。
【００３９】
そこで、本実施形態では、予備駆動のように表示用の駆動電圧とは別の駆動を行うことなく、表示用の駆動電圧の印加期間において、隣接する電極間で電位差が発生する期間を設けるように、制御部４０が電圧印加部３０を制御して表示用の駆動電圧を基板間に印加するようになっている。
【００４０】
ここで、本実施形態に係わる画像表示装置の駆動電圧の一例について説明する。図３（Ａ）は隣接電極間に電位差を発生させた駆動電圧の第１例を示す図であり、図３（Ｂ）は隣接電極間に電位差を発生させた駆動電圧の第２例を示す図であり、図４（Ａ）は隣接電極間に電位差を発生させた駆動電圧の第３例を示す図であり、図４（Ｂ）は隣接電極間に電位差を発生させた駆動電圧の第４例を示す図である。
【００４１】
図３（Ａ）に示す駆動電圧の第１例では、隣接する電極の駆動タイミングを時間Δｔずらして印加することによって隣接電極間に電位差が発生する期間を設けている。当該第１例では、画素Ｂの表示用の駆動電圧の印加開始前と画素Ａの表示用の駆動電圧の印加終了時に隣接電極間で電位差が発生するため、当該期間で背面側電極４間に存在する泳動粒子群１１が何れかの背面側電極４側へ付着する。なお、上記時間Δｔは、隣接電極間の粒子を移動させるために十分な長さの時間であり、アクティブマトリクス方式やパッシブマトリクス方式における各画素のスキャン時の時間（画素選択時間）以上の時間である。また、駆動電圧の印加を開始するタイミングを同じにして、印加の終了するタイミングをずらす、又は駆動電圧の印加の開始するタイミングをずらして印加の終了するタイミングを同じにしてもよい。
【００４２】
図３（Ｂ）に示す駆動電圧の第２例では、隣接する電極間に印加する駆動電圧の大きさ及び長さを変えて、駆動電圧の印加期間の全体で隣接電極間に電位差が発生する期間を設けている。この例では、画素Ａでは、駆動電圧−Ｖを印加し、画素Ｂでは画素Ａと同タイミングで駆動電圧−Ｖ’（｜−Ｖ｜＞｜−Ｖ’｜）の電圧を印加して、さらに、画素Ｂの駆動電圧の印加終了タイミングを時間Δｔ遅らせて終了する。これにより、表示用の駆動電圧の印加期間の中で、隣接画素間で電位差が発生するため、当該期間で電極間に存在する泳動粒子群１１が何れかの背面側電極４側へ付着する。なお、この例においても、時間Δｔはアクティブマトリクス方式やパッシブマトリクス方式などにおける各画素のスキャン時の時間（画素選択時間）以上の時間である。また、画素Ａと画素Ｂの駆動電圧を同じにして、画素Ａの電圧印加が終了した時から画素Ｂの電圧印加が終了するまでのΔｔの間での電位差｜Ｖ’｜のみとする、又は駆動電圧の印加終了タイミングを同じにして（Δｔ＝０）、画素Ａと画素Ｂの両方に電圧が印加されている期間での電位差｜Ｖ−Ｖ’｜のみとしても構わない。第２例では、基板間に印加する電圧の大きさ及び時間を電極間で変えているため、画素Ａと画素Ｂとで同じ濃度で表示する場合には、表示濃度が変わらないように、電圧の大きさと時間の積（図３（Ｂ）のハッチング部分の面積）が同じになるように、電圧の大きさ及び時間を決定することがより好ましい。
【００４３】
図４（Ａ）に示す駆動電圧の第３例では、駆動電圧が２つのステップを有する。２つのステップのうち始めの第１ステップでは、基板に付着した粒子が離脱する大きさの第１電圧を印加し、第２ステップでは第１電圧の絶対値より絶対値が小さく、第１電圧と極性が同じ第２電圧を印加して離脱した粒子を基板に付着させるようにしている。すなわち、第１電圧で付着した粒子の離脱する量を制御し、一方の基板から離脱させた粒子を第２電圧で他方の基板に付着させるようにしている。そして、第２ステップ（第２電圧の印加期間）で、画素Ａでは駆動電圧−Ｖ’を印加し、画素Ｂでは画素Ａと同タイミングで駆動電圧−Ｖ’’（｜−Ｖ’｜＞｜−Ｖ’’｜）の電圧を印加するとともに、画素Ｂの駆動電圧の印加終了タイミングを時間Δｔ遅らせて終了する。このことにより、隣接する背面側電極４間で電位差が発生する期間を設けている。画素Ａと画素Ｂの駆動電圧を同じにして、画素Ａの電圧印加が終了した時から画素Ｂの電圧印加が終了するまでのΔｔの間での電位差｜Ｖ’’｜のみとする、又は駆動電圧の印加終了タイミングを同じにして（Δｔ＝０）、画素Ａと画素Ｂの両方に電圧が印加されている期間での電位差｜Ｖ’−Ｖ’’｜のみとしても構わない。
【００４４】
図４（Ｂ）に示す駆動電圧の第４例では、駆動電圧が２つのステップを有する場合の駆動電圧のその他の例を示す。第４例では、２つのステップのうち始めの第１ステップでは、基板に付着した粒子が離脱する大きさの第１電圧を印加し、第２ステップでは第１電圧の絶対値より絶対値が小さく、第１電圧と極性が異なる第２電圧を印加して、第１電圧で離脱した粒子のうち、他方の基板に付着せずに浮遊する粒子を元の基板に付着させるようにしている。すなわち、第３例では、第１電圧で一方の基板から粒子を離脱させて第２電圧で他方の基板へ付着させるようにしたが、第４例では、第１電圧で一旦一方の基板から離脱させて他方の基板へ付着させた後、第１電圧で一方の基板から離脱した粒子のうち、他方の基板へ付着しなかった粒子を、第２電圧でまた元の基板へ付着させるようにした例を示す。
【００４５】
続いて、上述のように構成された本実施形態に係わる画像表示装置の作用について説明する。図５は、本実施形態に係わる画像表示装置１００の作用を説明するための図である。
【００４６】
例えば、図５（Ａ）に示すように、泳動粒子群１１が表示側電極３側に付着した状態から、背面側電極４側へ移動する場合に、隣接する背面側電極４の何れか一方の表示用の電圧の印加終了時などの期間に、本実施形態では、背面側電極４Ａ、４Ｂ間で電位差が発生する期間が発生するように、制御部４０が電圧印加部３０を制御して駆動電圧を基板間に印加する。駆動電圧としては、上述の図３（Ａ）、（Ｂ）、図４（Ａ）、（Ｂ）の何れかの駆動電圧を適用する。
【００４７】
これにより、基板間に電圧が印加開始されると、図５（Ｂ）に示すように、泳動粒子群１１が背面側電極４側へと移動を開始する。
【００４８】
図３（Ａ）、（Ｂ）、図４（Ａ）、（Ｂ）のそれぞれの場合において、背面側電極４間に電位差が発生する期間があるので、泳動粒子群１１は背面側電極４側へと移動するとともに、背面側電極４間の泳動粒子群１１は背面側電極４間の電位差に応じた方向の背面側電極４へ移動し、背面側電極４Ａ、４Ｂ間に泳動粒子群１１が付着せずに、電極間の電位差に応じて何れかの背面側電極４側に付着する。そして、いずれの場合においても背面側電極４Ａの駆動電圧の印加終了時には、背面側電極４間に電位差が発生する期間があるので、背面側電極４間の泳動粒子群１１は、背面側電極４間の電位差に応じた方向の背面側電極４へ移動してから、図５（Ｃ）に示すように、背面側電極４Ａ、４Ｂ間に泳動粒子群１１が付着せずに、電極間の電位差に応じて何れかの背面側電極４側に付着した状態で背面側電極４Ｂの駆動電圧の印加が終了する。
【００４９】
このように、泳動粒子群１１を駆動する駆動電圧において、隣接する電極間に電位差が発生する期間を設けることにより、電極間に泳動粒子群１１が付着することが抑制されるので、次に駆動する際の泳動粒子群１１の制御性の悪化が抑制される。
【００５０】
なお、上記の実施形態では、背面側電極４Ａにおける泳動粒子群１１の駆動電圧の印加終了時に、背面側電極４間に電位差が発生する期間を設けた例を説明したが、これに限るものではなく、駆動電圧を印加する期間のうち何れのタイミングでもよく、隣接する電極のうちどちらか一方の駆動電圧の印加開始の期間でもよいし、印加中の期間でもよい。但し、上記の実施形態のように、隣接する電極のうちどちらか一方の駆動電圧の印加終了時の期間に隣接電極間の電位差を設ける方が、泳動粒子群１１を電極間に付着しないようにする効果が大きいのでより好ましい。
【００５１】
また、上記の実施形態において、図４（Ａ）、（Ｂ）のように、駆動電圧が２つのステップを有する場合、上記では第２ステップに背面側電極４間の電位差が発生する期間が存在するようにした例を示したが、これに限るものではなく、第１ステップ（第１電圧の印加期間）に背面側電極４間の電位差が発生する期間を設けるようにしてもよい。但し、図４（Ａ）、（Ｂ）の例においては、第１ステップでは粒子の離脱する量を制御し、第２ステップでは、第１ステップにおいて離脱した粒子のうち、基板に付着せず浮遊する粒子を何れか一方の基板に付着させる。すなわち、第１ステップで表示濃度が決定され、第２ステップは表示濃度に影響しない。従って、第２ステップに隣接する電極間で電位差が発生する期間を設けることで、表示濃度への影響を与えずに、隣接する電極間に粒子が付着するのを抑制することができる。
【００５２】
また、上記の実施形態における制御部４０による電圧印加手段の制御は、ハードウエアによって実現するようにしてもよいし、ソフトウエアのプログラムを実行することによって実現するようにしてもよい。また、当該プログラムは、各種記憶媒体に記憶して流通するようにしてもよい。
【符号の説明】
【００５３】
１    表示基板
２    背面基板
３    表示側電極
４、４Ａ、４Ｂ    背面側電極
１０    画像表示媒体
１１    泳動粒子群
２０    駆動装置
３０    電圧印加部
４０    制御部
１００    画像表示装置
【図１】
0006284294.tif 000002
【図２】
0006284294.tif 000003
【図３】
0006284294.tif 000004
【図４】
0006284294.tif 000005
【図５】
0006284294.tif 000006
【図６】
0006284294.tif 000007